(57)【要約】商店、企業、流通業者、大学、販売員用の宣伝ツール、および製品、情報、商品券、プリペイド式のテレホンカード、クーポン券等の発送手段に関する。カスタマイズされたギフトカードには、贈り手がカード全体のデザインにこめたい意図を反映した、プロの手によるアートワーク、ロゴ、絵、などが描かれている。カードは、マルチメディアディスク、商品券、クーポン券、またはテレホンカードを収めるため、折り曲げられ（図１ａ参照）、ダイカットされ(図５参照)、糊付けされる。マルチメディアディスク(図３ａ参照)は各カードに、贈り物として収められる。マルチメディアディスクとは、贈り手に関係する、プロの手によるデジタル録音された音楽、さまざまな音声、映像、画像情報が収められたデジタル媒体のことである。マルチメディアディスクは、カード内に、カード全体のデザインをサポートするラベル面が見えるように配置される。商品券（図８ａ参照）、クーポン券、プリペイド式テレホンカードは、カード内の取りやすく、流通業者がスキャンしやすい位置に配置される。
2005515922.tif 000002
【特許請求の範囲】
【請求項１】
グリーティングカードであって、
様々なプロの手によるアートワーク、文章、ロゴ、休日の絵、季節の絵、特別なイベントの絵および祭りの絵が描かれ、一回または複数回折られた、上開き型、横開き型もしくは中開き型のカードと、
用途に応じて変えられ、多数の色彩、デザインおよびテーマをもつアートワークと、
全体のカードデザインに基づいた文章および絵が表示されたカードの全側面と、
様々な大きさ、構成、手触りおよび分厚さの素材を用いて組み立てられたカードと、
コンパクトディスクやＤＶＤを含む、音声記録媒体やコンピュータで読み込み可能な記録媒体を収めて保持するための、細長い穴、スリーブ、ポケット、タブ、もしくはホルダーを作るために、切られ、糊付けされおよび折られた素材と、
カードの外観あるいは内観を高め展示表示しうるような様々な形やデザインに切ることが可能な素材と、
カード全体のデザインまたはカードのテーマに、準じ、あるいはこれを高め、あるいはこれにマッチしている、アートワーク、絵、文章、曲名、アーティスト名、ロゴおよび贈り手の情報が印刷、シルクスクリーン印刷、または貼り付けられたラベルを持つオーディオおよびコンピュータで読み出し可能な記録媒体と、
さまざまな言語、フォーマットで記録され、プロの手で録音された、すべてのタイプ、スタイルを含んだ、季節ごとのあるいは季節に関係のないデジタル音楽の組み合わせを含む記録媒体と、
マルチメディアプレゼンテーション、ビデオプレゼンテーション、企業情報、企業履歴、店舗位置、データベース、製品情報、印刷可能なクーポン券、大学の情報、カリキュラム、流通カタログ、およびウエブサイトのリンクを含んだ様々なデジタルデータも含んでよい記録媒体と、
様々な、オーディオ装置、映像装置あるいはコンピュータ装置等で再生、鑑賞ができる記録媒体と、
マルチメディアディスクとも呼ばれる記録媒体と、
前記カードのテーマおよびデザインフォーマットにマッチした、もしくは、独自のアートワーク、文章、ロゴ、休日の絵、季節の絵、特別な行事の絵、祝いの絵などが描かれた、カードのセキュリティ、保護、および／または簡便な発送のための、選択可能な封筒、包装紙、カバー、ケースあるいはこれら全てとを含むグリーティングカード。
【請求項２】
コンパクトディスクおよびＤＶＤを含む、オーディオおよびコンピュータで読み取り可能な記録媒体の組み立てパッケージであって、
様々なプロの手によるアートワーク、文章、ロゴ、休日の絵、季節の絵、特別なイベントの絵および祭りの絵が描かれ、一回または複数回折られた、上開き型、横開き型もしくは中開き型のカードと、
用途に応じて変えられ、多数の色彩、デザインおよびテーマをもつアートワークと、
全体のカードデザインに基づいた文章および絵が表示されたカードの全側面と、
様々な大きさ、構成、手触りおよび分厚さの素材を用いて組み立てられたカードと、
コンパクトディスクやＤＶＤを含む、音声記録媒体やコンピュータで読み込み可能な記録媒体を収めて保持するための、細長い穴、スリーブ、ポケット、タブ、もしくはホルダーを作るために、切られ、糊付けされおよび折られた素材と、
カードの外観あるいは内観を高め展示表示しうるような様々な形やデザインに切ることが可能な素材と、
カード全体のデザインまたはカードのテーマに、準じ、あるいはこれを高め、あるいはこれにマッチしている、アートワーク、絵、文章、曲名、アーティスト名、ロゴおよび贈り手の情報が印刷、シルクスクリーン印刷、または貼り付けられたラベルを持つオーディオおよびコンピュータで読み出し可能な記録媒体と、
さまざまな言語、フォーマットで記録され、プロの手で録音された、すべてのタイプ、スタイルを含んだ、季節ごとのあるいは季節に関係のないデジタル音楽の組み合わせを含む記録媒体と、
マルチメディアプレゼンテーション、ビデオプレゼンテーション、企業情報、企業履歴、店舗位置、データベース、製品情報、印刷可能なクーポン券、大学の情報、カリキュラム、流通カタログ、およびウエブサイトのリンクを含んだ様々なデジタルデータも含んでよい記録媒体と、
様々な、オーディオ装置、映像装置あるいはコンピュータ装置等で再生、鑑賞ができる記録媒体と、
マルチメディアディスクとも呼ばれる記録媒体と、
前記カードのテーマおよびデザインフォーマットにマッチした、もしくは、ユニークなアートワーク、文章、ロゴ、休日の絵、季節の絵、特別な行事の絵、祝いの絵などが描かれた、カードのセキュリティ、保護、および／または簡便な発送のための、選択可能な封筒、包装紙、カバー、ケースあるいはこれら全てとを含む組み立てパッケージ。
【請求項３】
組み立てカードパッケージであって、
様々なプロの手によるアートワーク、文章、ロゴ、休日の絵、季節の絵、特別なイベントの絵および祭りの絵が描かれ、一回または複数回折られた、上開き型、横開き型もしくは中開き型のカードと、
用途に応じて変えられ、多数の色彩、デザインおよびテーマをもつアートワークと、
全体のカードデザインに基づいた文章および絵が表示されたカードの全側面と、
様々な大きさ、構成、手触りおよび分厚さの素材を用いて組み立てられたカードと、
コンパクトディスクやＤＶＤを含む、音声記録媒体やコンピュータで読み込み可能な記録媒体を収めて保持するための、細長い穴、スリーブ、ポケット、タブ、もしくはホルダーを作るために、切られ、糊付けされおよび折られた素材と、
カードの外観あるいは内観を高め展示表示しうるような様々な形やデザインに切ることが可能な素材と、
カード全体のデザインまたはカードのテーマに、準じ、あるいはこれを高め、あるいはこれにマッチしている、アートワーク、絵、文章、曲名、アーティスト名、ロゴおよび贈り手の情報が印刷、シルクスクリーン印刷、または貼り付けられたラベルを持つオーディオおよびコンピュータで読み出し可能な記録媒体と、
さまざまな言語、フォーマットで記録され、プロの手で録音された、すべてのタイプ、スタイルを含んだ、季節ごとのあるいは季節に関係のないデジタル音楽の組み合わせを含む記録媒体と、
マルチメディアプレゼンテーション、ビデオプレゼンテーション、企業情報、企業履歴、店舗位置、データベース、製品情報、印刷可能なクーポン券、大学の情報、カリキュラム、流通カタログ、およびウエブサイトのリンクを含んだ様々なデジタルデータも含んでよい記録媒体と、
様々な、オーディオ装置、映像装置あるいはコンピュータ装置等で再生、鑑賞ができる記録媒体と、
マルチメディアディスクとも呼ばれる記録媒体と、
クレジットカード、デビットカード、ギフトカード、商品券、アクセスキーカード、またはテレホンカードなどを含む付加的な品物を入れ、保持するために加えられた、付加的な、溝、スリーブ、ポケット、タブ、またはホルダーと、
カードパッケージ全体のデザインまたは全体のテーマに、準じあるいはこれを高め、あるいはこれにマッチする、アートワーク、絵、文字、ロゴ、そして贈り手の情報を示した、さまざまなサイズ、構成、手触り、厚みをもち、プラスチックまたは紙を含んだ材料を使って組み立てられた、上記の溝、スリーブ、ポケット、タブ、ホルダー内に入れられる、付加的なカードと、
磁気ストリップまたは他の読み込み書き込み可能なデータ記録媒体、およびバーコードを含む、カード上のデータ記録媒体を介して提供および交換される、データと、
セール時、上記磁気ストリップまたはバーコードをスキャンするために、カード上のデータに簡単に手が届くように、該組み立てカードパッケージ内に配置することのできる、付加的なカードと、
前記カードのテーマおよびデザインフォーマットにマッチした、もしくは、ユニークなアートワーク、文章、ロゴ、休日の絵、季節の絵、特別な行事の絵、祝いの絵などが描かれた、カードのセキュリティ、保護、および／または簡便な発送のための、選択可能な封筒、包装紙、カバー、ケースあるいはこれら全てとを含む組み立てカードパッケージ。
【発明の詳細な説明】
【発明の詳細な説明】
【０００１】
〔技術分野〕
本発明は、ギフトカード、音楽用ＣＤ等のマルチメディアディスク、商品券、宣伝用資料等に使用可能なマルチメディアギフトカードに関する。
【０００２】
〔背景技術〕
様々な記録媒体に録音された音楽は、長年に渡って贈り物として販売されてきた。また、ギフトカードを季節の節目等に送ることも、挨拶、様々な出来事を祝福する主要な手段である。
【０００３】
企業や商店は、しばしば従業員、店員および顧客に、企業カラー、企業ロゴや企業情報のはいった、ペンやカップやグラス、バンパーステッカー、帽子やシャツを贈ってきた。
【０００４】
これらのアイテムは、贈られたときには、貰い手への贈り物であると認知されるが、同時に贈り手にとっては多大な宣伝価値のあるものである。
【０００５】
流通業者は、プラスチックのクレジットカード状の商品券を提供していることがしばしばある。このような商品券は通常、ギフト用にパッケージングされたものではない。ほとんどのギフトカードは、陳列棚につけられた厚紙の上から垂れ下がるように陳列され、以前は、カードとは名ばかりの地味なただの厚紙一枚とセットで売られていた。流通業者は、厚紙、紙、またはプラスチックに、商品券を単体で陳列しているだけである。よって、買い物客が、たいていギフト券やクーポン券、プリペイド式のテレホンカードをギフトとして送るためには、カードをさらに買わなければならなかった。
【０００６】
パソコンの出現、大量生産、システムコストの低下、そしてインターネットの流行およびネットへのアクセスしやすさが向上したことにより、たいていの消費者がコンピュータを所有したり、アクセスできるようになった。また、多くの圧縮フォーマットや、デジタル記録媒体の容量増加にともない、デジタル品質の音声や映像、画像が急激に増加、利用できるようになってきた。このことによって、企業や商店、仲介業者、流通業者、大学などは、特別かつ多様な宣伝手段を得ることとなった。
【０００７】
〔発明の要旨〕
前記マルチメディアギフトカードは、３つの構成部材よりなっている。つまり、（１）特別生産されたギフトカード、（２）使用されるであろう、デジタル品質の音楽や画像（ただしこれらに限定されない）を含んだディスクまたは他のデジタル媒体、そして、（３）商品券またはプリペイド式のテレホンカードである。
【０００８】
前記ギフトカードは、企業、商店、仲介業者、流通業者、または大学等を、象徴するために作られるものであり、それが可能となるように独自のデザイン、カスタマイズがなされている。ギフトカードには、マルチメディアディスクが贈り物として収められ、カードの意図やデザインにそったラベルが貼られている。前記マルチメディアディスクには、プロの手によるデジタル録音された音楽、コンピュータによるマルチメディアプレゼンテーション、ビデオプレゼンテーション、企業情報、印刷可能なクーポン券などが含まれるが、これに限定されない。カードはダイカットされ、そこにマルチメディアディスク、プリペイド式のテレホンカード、商品券が収められる。
【０００９】
前記マルチメディアギフトカードは、従業員、販売員、仕事関係者に、名前入りのギフトをプレゼントする企業向けにデザインされている。本発明は、従来のマーケティング技術、コンピュータによるグラフィック、デジタルオーディオ、デジタル映像などと組み合わせて、ギフトパッケージとする。
【００１０】
前記マルチメディアギフトカードは、流通業者に、商品券、プリペイド式テレホンカードおよび製品等のための、創造的で独創的かつ個人向けのパッケージングを提供する。素晴らしいデジタル音楽がギフトとして収められ、何年もの間、貰い手はその音楽を楽しむことになる。その間、ディスクラベルに書かれた情報を見るたびに、貰い手はマルチメディアディスクの贈り手のことを思い出す。このように、本発明は、贈り手と貰い手の間で、忘れられない絆、強く良好で永続性のある、心のこもった絆を作り上げることのできるものである。また、本発明はマーケティング、宣伝、エンターテイメントを組み合わせることで、製品や情報を発送する手段と同様に、貴重な宣伝ツールとすることができる。
【００１１】
〔発明の詳細な説明〕
本発明において、「贈り手」とは、所望の目的で前記マルチメディアギフトカードを利用する、個人商店、企業、流通業者、仲介業者、大学、専門業者、および販売員などであるが、これに限定されるものではない。
【００１２】
本発明において、「貰い手」とは、個人利用目的の最終製品を受け取る者である。
【００１３】
本発明において、「マルチメディアディスク」とは、コンパクトディスク、ミニコンパクトディスク、ＤＶＤなど、デジタルデータを保存できる媒体であるが、これに限定されるものではない。
【００１４】
カード外観には、アートワークが描かれる。各カードの物理的特性は、カード全体のデザインが最大限見栄えのよくなるように、また贈り手を最大限象徴するようにデザインされている。つまり、様々な形状や大きさの、高重量の紙や中重量の厚紙が、二つ折、三つ折、または、複数折されたカードであり、コンピュータによる画像が、その上に印刷されている。各カードは、マルチメディアディスク、商品券、クーポン券、またはテレホンカード(ただし、これらに限定されない)を収めるため、折り曲げられ、ダイカットされ、糊付けされる。商品券／クーポン券は、カード内の使用しやすく、流通業者がスキャンできるような位置に配置され、マルチメディアディスクはラベル面が見えるようにカード内に配置される。郵便で送ることのできる封筒タイプのカード、他の方法で発送されるタイプのカードの両方が、利用可能である。
【００１５】
カードには、贈り手がこのマルチメディアカードのデザインにこめた意図を最大限反映するもの、例えばプロの手によるアートワーク、ロゴ、季節の挨拶、特別な行事、祭りの絵などが描かれる。アートワークは用途に応じて変えられ、様々な色彩、デザイン、テーマなどを含むことができる。カードのすべての側面は、贈り手のカードデザイン及びマルチメディアディスクデザインに応じて、使うことができる。
【００１６】
マルチメディアディスクには、プロの手によってデジタル録音された季節の音楽などの音楽（すべてのジャンル、タイプ、スタイル）、マルチメディアプレゼンテーション、映像、製品情報、店舗位置、データベース、印刷可能なクーポン券、カタログ、個人および企業履歴情報、ウエブサイトへのリンク、大学の情報およびカリキュラムなどが含まれてもよいが、これに限定されない。
【００１７】
マルチメディアディスクのラベル面は、カードのアートワークと合うようにデザインされ、曲名、アーティスト名、ロゴ、贈り手の情報などが描かれるが、これに限定されるものではない。このような名前入りのラベルは、貰い手に贈り手のことを常に思い出させることができ、贈り手とこれ以上ないほどの強く永続する絆を結ぶことができる。
【００１８】
以下の図面には、様々な形状、サイズ、折り方、デザインの、二つ折、三つ折、複数折されたマルチメディアギフトカードが描かれている。うち、いくつかには、マルチメディアディスクおよび商品券を収めるためのダイカットがある。
【図面の簡単な説明】
【００１９】
【図１】図１は、マルチメディアディスクが入った状態で開かれた縦折り型二つ折カードの一例を示す。図１ａは、閉じた状態の縦折り型二つ折りカードの一例を示す。
【図２】図２は、マルチメディアディスクが入った状態で、開かれた横折り型二つ折カードの一例を示す。図２ａは、マルチメディアディスクが入った状態で、閉じられた横折り型二つ折りカードの一例を示す。
【図３】図３は、マルチメディアディスクが入った状態で、開かれた三つ折カードの一例を示す。図３ａは、マルチメディアディスクが入った状態で、閉じられた横折り型三つ折りカードの一例を示す。
【図４】開かれた状態の縦折り型二つ折カードにおける、マルチメディアディスクおよび商品券を収めるダイカットの一例を示す。
【図５】開かれた状態の横折り型二つ折カードにおける、マルチメディアディスクおよび商品券を収めるダイカットの一例を示す。
【図６】開かれた状態の三つ折カードにおける、マルチメディアディスクおよび商品券を収めるダイカットの一例を示す。
【図７】開かれた状態の複数折カードにおける、マルチメディアディスクおよび商品券を収めるダイカットの一例を示す。
【図８】図８は、開かれた状態の縦折り型二つ折カードにおける、マルチメディアディスクおよび商品券を収めるダイカットの一例を示す。商品券は、該ギフトカードが閉じられたとき、隠れるようになっている。商品券は、カード全体のデザインに応じて、カードの底部、もしくは上部など、どこに配置してもよい。図８ａは、内部にマルチメディアディスクおよび商品券が入った状態で、開かれた縦折り型二つ折カードの一例を示す。商品券は、該ギフトカードが閉じられたとき、隠れるようになっている。商品券は、カード全体のデザインに応じて、カードの底部、もしくは上部など、どこに配置してもよい。図８ｂは、閉じた状態の縦折り型二つ折りカードの一例を示す。
【図９】図９は、マルチメディアディスクおよび商品券が入った状態で、開かれた縦折り型二つ折カードの一例を示す。商品券は、磁気ストリップまたはバーコードがギフトカード背面の届きやすい位置になるように配置される。このため、小売の際、簡単に手が届く。図９ａは、閉じた状態の縦折り型二つ折カードの一例を示す。商品券は、磁気ストリップまたはバーコードがギフトカード背面の届きやすい位置になるように配置される。このため、小売の際、簡単に手が届く。
【図１０】図１０は、マルチメディアディスクおよび商品券が入った状態で、開かれた横折り型二つ折カードの一例を示す。商品券は、該ギフトカードが閉じられたとき、隠れるようになっている。図１０ａは、閉じた状態の横折り型二つ折カードの一例を示す。商品券は、該ギフトカードが閉じられたとき、隠れるようになっている。
【図１１】図１１は、マルチメディアディスク及び商品券が入った状態で、開かれた横折り型二つ折カードの一例を示す。商品券は、磁気ストリップまたはバーコードがギフトカード背面の届きやすい位置になるように配置される。このため、小売の際、簡単に手が届く。図１１ａは、閉じた状態の横折り型二つ折カードの一例を示す。商品券は、磁気ストリップまたはバーコードがギフトカード背面の届きやすい位置になるように配置される。このため、小売の際、簡単に手が届く。
【図１２】図１２は、マルチメディアディスク及び商品券が入った状態で、開かれた三つ折カードの一例を示す。商品券は、磁気ストリップまたはバーコードがギフトカード背面の届きやすい位置になるように配置される。このため、小売の際、簡単に手が届く。図１２ａは、マルチメディアディスク及び商品券が入った状態で、閉じられた三つ折カードの一例を示す。商品券は、磁気ストリップまたはバーコードがギフトカード背面の届きやすい位置になるように配置される。このため、小売の際、簡単に手が届く。
【図１３】図１３は、マルチメディアディスク及び商品券が入った状態で、開かれた三つ折カードの一例を示す。商品券は、該ギフトカードが閉じられたとき、隠れるようになっている。図１３ａは、マルチメディアディスク及び商品券が入った状態で、閉じられた三つ折カードの一例を示す。商品券は、該ギフトカードが閉じられたとき、隠れるようになっている。
【図１４】図１４は、マルチメディアディスク及び商品券が入った状態で、開かれた複数折カードの一例を示す。図１４ａは、マルチメディアディスク及び商品券が入った状態で、閉じられた複数折カードの一例を示す。
【図１】
2005515922.tif 000003
【図２】
2005515922.tif 000004
【図３】
2005515922.tif 000005
【図４】
2005515922.tif 000006
【図５】
2005515922.tif 000007
【図６】
2005515922.tif 000008
【図７】
2005515922.tif 000009
【図８】
2005515922.tif 000010
【図９】
2005515922.tif 000011
【図１０】
2005515922.tif 000012
【図１１】
2005515922.tif 000013
【図１２】
2005515922.tif 000014
【図１３】
2005515922.tif 000015
【図１４】
2005515922.tif 000016
【国際調査報告】
2005515922.tif 000017